(57)【要約】【課題】色掛下着の需要が高まる中、色掛下着を取り扱う業者は少ない。しかし、今まで取扱いがない業者が色掛下着を取り揃えるには多大なコストが必要とされる。そこで、本発明は色掛下着を低コストで用意でき様々な種類を取り揃えられる着脱可能な部品、及びこれを用いた着付け方法の提供を課題とする。【解決手段】一般的に掛下着は着物の下に着る着物で、着物の間から見える掛下着は衿および衿周辺のみである。そこで昔から取扱っている在庫の多い白い掛下着の衿または衿及び衿の周辺を隠すように色の付いた着脱可能な部品を取り付け、着物を着れば疑似的に色掛下着に見せることができる。【選択図】図１
2019131937.tif 000002
【特許請求の範囲】
【請求項１】
掛下着の上に着物を着ると、着物の上から見える掛下着の面積は限られるため、着物の上からでも見える掛下着の一部または全てを隠すように掛下着と異なるデザインの部品を取り付けることで下地の掛下着と異なるデザインの掛下着に見せることができる方法。
【請求項２】
請求項１の掛下着に取り付ける部品を掛下着と固定するのではなく、取り替えができる着脱可能な部品として利用する方法。
【請求項３】
請求項２の掛下着の衿または衿及び衿の周辺に取り付ける衿１、前身頃２、後身頃３からなる脇下の前身頃と後身頃が繋がっていない着脱可能な部品の構造。
【発明の詳細な説明】
【技術分野】
【０００１】この発明は、掛下着に部品を付けることにより低コストで異なるデザインの掛下着にする方法である。
【背景技術】
【０００２】掛下着は白色が一般的であったが、近年は色の付いた掛下着も出回るようになった。
新しい流行の色掛下着は取り揃えが少なく市場の要望に応えきれていない。
【発明の概要】
【発明が解決しようとする課題】
【０００３】色掛下着の需要が高まる中、新しい流行である色掛下着を取り扱う貸衣装屋・メーカー・問屋等は少なく、扱う業者もその数・種類は限られる。さらに色掛下着は上に羽織る着物の色に合わせ様々な色の色掛下着が求められる。しかし、今まで取扱いがない業者はゼロから取り揃える必要があり、多大なコストが必要とされる。
そこで、本発明は様々な種類の色掛下着を低コストで取り揃えられる方法とそれを解決するための部品及びその着付け方法の提供を課題とする。
【課題を解決するための手段】
【０００４】一般的に掛下着は着物の下に着る着物のこと。掛下着の上に着物を着ると掛下着の衿及び衿周辺が上の着物から露出した状態となる。そこで昔から取扱っている在庫の多い白い掛下着に、上の着物から露出する部分を隠すように色の付いた部品を取り付け、上の着物を着れば疑似的に色掛下着に見せることができる。さらに取り付ける部品を縫うなどの方法で固定するのではなく着脱可能な形態にすることで、様々な色の着脱可能な形態の部品を短時間で取り替えることを可能とする。
【発明の効果】
【０００５】本発明は色掛下着を仕立てるよりも少ない生地で作れる。
一枚辺りを低コストで生産できるため少ない予算で様々な色を用意することができる。
着脱可能な部品は色掛下着一枚を保管するよりも少ない空間で保管できる。
通常、掛下着では使わない豪華な生地、模様、柄等も本発明なら少ない生地で作ることができるため、今までにないデザインの掛下着を生み出すことができる。
本発明は挙式・披露宴などで花嫁が利用することを想定している。衣装替えの際、取り付けた着脱可能な部品を取り除くことで異なる掛下着から元の掛下着に変えることができる。これによりコストの削減及び、帯をほどいて掛下着を脱ぎ、別の掛下着を着て、帯を結ぶ工程を省けることができ衣装替え時間の短縮にもなる。
【発明を実施するための最良の形態】
【０００６】以下、発明を実施するための形態を便宜上掛下着衿と呼び、図に基づいて説明する。
図１は掛下着に掛下着衿を取り付けた一例の模式図である。
図２は掛下着衿を掛下着に取り付ける際の形を現した模式的な正面図である。
図３は掛下着衿を展開した模式的な正面図である。【０００７】掛下着衿は衿１、前身頃２、後身頃３から構成された着脱可能な部品である。脇下の前身頃と後身頃が繋がっていないのが特徴で、幅広いサイズの掛下着や体格の人でも同じ掛下着衿を使いまわすことができる。この掛下着衿は着くずれしないことを配慮しつつ生地を最小限に抑えることで生産コストを抑えた構成となっている。【０００８】掛下着を異なるデザインの掛下着に見せるためには、掛下着の一部または全てを取り付けた部品と上に着た着物で隠すことが重要である。そのため、掛下着に掛下着と異なるデザインの部品を付け、縫うなどの方法で固定し、一般的な掛下着を着る手順で掛下着を着て、上に着物を着れば異なるデザインの掛下着に見せることができる。【０００９】しかし、上記の方法では部品の取り外し及び取り付けに時間が掛かかる。そこで縫うなどの方法で固定しなくても取り付けられる着脱可能な掛下着衿とその着付け方法を用いて取り外し及び取り付けの時間を短縮させる。【００１０】着付ける前の下準備として、掛下着の背に掛下着衿を被せ、背中心を合わせながら掛下着衿の衿を掛下着の表衿から数センチはみでるように重ねる。この際、はみだす幅が短いと掛下着衿が固定されず着くずれの原因となるので注意が必要である。
衿の背中心から掛下着の左右の衿元に向って、表衿の縁に沿ってはみだした衿を折り曲げ、表衿の表裏面を覆いながら表衿の裏面と比翼の間に挟む。【００１１】装着した掛下着を一般的な掛下着を着る時と同様に対象者に着せる。衿を付ける工程が正しく行われていれば掛下着の正面は掛下着衿の前身頃が掛下着の前身頃と重なり、背面は掛下着衿の後身頃が掛下着の後身頃に重なった状態となる。掛下着と掛下着衿を整え、掛下着を固定する時に使う腰ひも４を掛下着衿の上から結び掛下着衿、掛下着、身体をしっかり固定させる。以降は掛下着を着る工程を行い着物を着れば掛下着の一部または全てが隠れ、掛下着衿が着物の内側から見え、元の掛下着と異なるデザインの掛下着に見せることができる。【００１２】前述の通り掛下着衿で掛下着を全て隠す必要は無く、意図して掛下着を見せる着方をしても良い。掛下着衿の衿を掛下着の表衿の裏面と比翼の間に挟むのでは無く、閉じた掛下着衿の衿を掛下着の上に重ねれば、掛下着衿と掛下着の重ね着として見せることができる。ただし、この場合は着崩れしやすくなるため注意が必要である。【００１３】また、上記の掛下着衿を重ねて取り付ける場合は以下の方法で衣装替え時間の短縮も可能となる。
衣装替え前は掛下着衿を付けた状態となる。挙式・披露宴会場から控室に戻った後、掛下着の上に着ている着物を脱ぎ、掛下着衿の衿を持ちながら上に引っ張れば掛下着衿を外すことができる。そのまま掛下着の上に着物を着て衣装替えが完了となる。
本来衣装替えをする際、帯をほどき掛下着を脱ぎ別の掛下着を着て帯を締める工程が必要となるが、掛下着衿を利用し掛下着に重ねて取り付けることでこれらの工程を省くことができ衣装替えに掛かる時間を短縮することができる。
【図面の簡単な説明】
【００１３】
【図１】掛下着に着脱可能な部品を取り付けた一例である。
【図２】着脱可能な部品を掛下着に取り付ける際の形を現した模式的な正面図である。
【図３】着脱可能な部品を展開した模式的な正面図である。
【符号の説明】
【００１４】１    衿
２    前身頃
３    後身頃
４    腰ひも
【図１】
2019131937.tif 000003
【図２】
2019131937.tif 000004
【図３】
2019131937.tif 000005